(57)【要約】  【課題】包装箱の運搬時に用いられる手穴であって、前記手穴部を形成する閉塞部を包装箱内部に曲折して手穴を形成する手穴の場合、前記閉塞部を初期状態に戻すための隙間がなく、閉塞部の隙間から包装箱内部に塵埃等が侵入して被梱包物を汚し、また、閉塞部が初期状態に戻らない事により使用痕が残り、見栄えが悪い。  【解決手段】上辺に折線１を設け、他の三辺を切断部とし舌状の閉塞部５を形成した手穴において、手穴の下辺切断部３に連結し切断部より舌状の閉塞部外側に延長した２本の切断部６、７を設けたことにより、前記課題である初期状態への再生と塵埃等侵入防止が図られる手穴である。【選択図】  図１ 
2005297978.tif 000002
【特許請求の範囲】
【請求項１】
上辺に折線を設け、他の三辺を切断部とした舌状の閉塞部を形成した手穴であって、前記手穴の下辺切断部に連結し切断部より舌状の閉塞部外辺から、前記外辺に略直角に延長した２本の切断部を設けたことを特徴とする手穴。
【請求項２】
上辺に折線を設け、他の三辺を切断部とした舌状の閉塞部を形成した手穴であって、前記手穴の上辺及び下辺の夫々の端部より、前記上辺及び下辺を水平方向に延長した切断部を設けたことを特徴とする手穴。
【請求項３】
上辺に折線を設け、他の三辺を切断部とした舌状の閉塞部を形成した手穴であって、手穴の上辺折線、及び下辺切断部を結んだ切断部を設けることにより、手穴の舌状の閉塞部を左右に２分割したことを特徴とする手穴。
【請求項４】
手穴の上辺折線の両端に連結する舌状の閉塞部を形成する切断部において、前記折線の片端あるいは両端部の切断部を舌状の閉塞部中央部に向けて曲折する円弧状に延設させたことを特徴とする、請求項１〜３のいすれかに記載の手穴。
【発明の詳細な説明】
【技術分野】
【０００１】
本発明は、被梱包物の梱包に使用する包装箱において荷扱い用に設けられる手穴に関するものである。
【背景技術】
【０００２】
従来の手穴は、図５に示すように上辺に折線ａを設け、その他の三辺ｂ、ｃ、ｄを切断して舌状の閉塞部ｅを形成し、包装箱の運搬時には閉塞部ｅを箱の内部に曲折し、その結果形成された手穴に手を差込んで、辺ａ部を下方から支え、包装箱を持上げていた（例えば、特許文献１参照）。
【特許文献１】特開平７−２０５９６１号公報
【発明の開示】
【発明が解決しようとする課題】
【０００３】
しかしながら、上記従来の構成では舌状の閉塞部を形成した周囲に隙間がないため舌状の閉塞部ｅを箱の内部へ曲折して手穴を使用した後の舌状の閉塞部ｅを容易に元に戻すことが出来ず、また、閉塞部ｅが完全に閉塞されない場合には、手穴より包装箱内部へ塵埃等が侵入し被梱包品の汚れが発生する。
【０００４】
また、手穴を使用したことによる初期状態との変化により使用痕が残ることでの商品イメージ低下が懸念された。
【０００５】
本発明は、このような従来の課題を解決するもので包装箱の手穴使用後も容易に初期状態に戻すことが可能で塵埃等による商品汚れや商品イメージ低下を防止できる機能を持った手穴である。
【課題を解決するための手段】
【０００６】
上記課題を解決するために本発明の手穴は、上辺に折線を設け、他の三辺を切断部とした舌状の閉塞部を形成した手穴であって、前記手穴の下辺切断部に連結し切断部より舌状の閉塞部外辺から、前記外辺に略直角に延長した２本の切断部を設けたものである。
【０００７】
これによって、下方に延長した２本の切断部により指を通す隙間が確保でき、使用し手穴が開いた状態のものを閉塞させて初期状態に戻すことが容易になる。
【０００８】
また、上辺に折線を設け、他の三辺を切断部とした舌状の閉塞部を形成した手穴であって、前記手穴の上辺及び下辺の夫々の端部より、前記上辺及び下辺を水平方向に延長した切断部を設けたものである。
【０００９】
これによって、水平方向に延長した切断部により指を通す隙間が確保でき、使用し手穴が開いた状態のものを閉塞させて初期状態に戻すことが容易になる。
【００１０】
また、上辺に折線を設け、他の三辺を切断部とした舌状の閉塞部を形成した手穴であって、手穴の上辺折線、及び下辺切断部を結んだ切断部を設けることにより、手穴の舌状の閉塞部を左右に２分割したものである。
【００１１】
これによって、手穴の舌状の閉塞部を分割することが可能となり、分割された舌状の閉塞部を相反する方向に開くことで指を挿入する隙間が確保でき、使用し手穴が開いた状態のものを閉塞させて初期状態に戻すことが容易になる。
【発明の効果】
【００１２】
本発明の手穴は、使用後も容易に元の閉塞状態に戻すことが可能となり塵埃等の侵入を防止し、商品イメージの低下を防止できる。
【発明を実施するための最良の形態】
【００１３】
第１の発明は、上辺に折線を設け、他の三辺を切断部とした舌状の閉塞部を形成した手穴であって、前記手穴の下辺切断部に連結し切断部より舌状の閉塞部外辺から、前記外辺に略直角に延長した２本の切断部を設けたことにより、使用後の手穴を初期状態に戻すことが容易に可能となるので、手穴からの塵埃等の侵入を防ぎ商品の汚れが防止できるなど保管時の商品保護機能の向上が図れ保管品質が向上する。さらに、手穴を初期状態に容易に戻せるので使用痕が残ることが無く、いつでも新品のイメージが残り商品イメージを向上させる。
【００１４】
第２の発明は、上辺に折線を設け、他の三辺を切断部とした舌状の閉塞部を形成した手穴であって、前記手穴の上辺及び下辺の夫々の端部より、前記上辺及び下辺を水平方向に延長した切断部を設けたことにより、使用後の手穴を初期状態に戻すことが容易に可能となり塵埃等の侵入防止による保管品質向上と商品イメージの向上が図れる。さらに、切断部を水平方向に延長することにより、手穴を初期状態に戻すときの指の挿入が異なる方向からでも可能となる他、手穴の一部としても使用可能となり荷扱いの作業性が向上する。
【００１５】
第３の発明は、上辺に折線を設け、他の三辺を切断部とした舌状の閉塞部を形成した手穴であって、手穴の上辺折線、及び下辺切断部を結んだ切断部を設けたことにより、使用後の手穴を初期状態に戻すことが容易に可能となり塵埃等の侵入防止による保管品質向上と商品イメージの向上が図れる。さらに、切断部を手穴の外周部より内側に設けることにより切断部からの破損も防止できると共に美観的にも向上する。
【００１６】
第４の発明は、特に第１〜第３の発明の手穴の上辺折線の両端に連結する舌状の閉塞部を形成する切断部において、前記折線の片端あるいは両端部の切断部を舌状の閉塞部中央部に向けて曲折する円弧状に延設させたことにより、手穴の切断部先端が手穴中央を向くことになり、手穴を連続して使用した時の負荷に対しても手穴の損傷が少なく手穴の強度が向上する。
【００１７】
以下本発明の実施の形態について図面を参照しながら説明する。なお、この実施の形態によって本発明が限定されるものではない。
【００１８】
（実施の形態１）
図１は、本発明の第１の実施の形態における手穴の平面図を示すものである。
【００１９】
図１において、折線１は手穴上辺を形成する折線で他の３辺の切断部２・３・４により形成される舌状の閉塞部５の根元位置になる。さらに、切断部２、３、４のうち手穴下辺を構成する切断部３に連続し、切断部３より閉塞部５の外側に延長された切断部６・７を設ける。このとき、切断部６、７の先端を折線８で連結することも可能である。
【００２０】
以上のように、本実施例の形態においては手穴下辺の切断部より下方に連続する切断部を設けることにより、使用後の手穴を容易に初期状態に戻すことが可能で手穴からの塵埃等侵入による商品汚れを防止し、手穴使用痕が残らず生産直後の商品イメージを維持できる。
【００２１】
（実施の形態２）
図２は、本発明の第２の実施の形態における手穴の平面図を示すものである。
【００２２】
図２において、折線１と切断部２、３、４により形成された舌上の閉塞部５の構成による手穴で、折線１と下辺切断部３の左右両端の片側を同一方向に水平に延長する切断部９、１０を設ける。このとき、切断部９、１０の先端を折線１１で連結することも可能である。
【００２３】
なお、本実施例では片側を延長した例で説明したが両端を延長しても同様の効果を得ることができる。
【００２４】
以上のように、本実施例の形態においては手穴左右に切断部を設けることにより、使用後の手穴を容易に初期状態に戻すことが可能で手穴からの塵埃等侵入による商品汚れを防止し、手穴使用痕が残らず生産直後の商品イメージを維持できる。
【００２５】
さらに、手穴を左右方向に拡大することが可能となり手穴の使用面が必要により大型化でき荷扱いの作業性が向上する。
【００２６】
（実施の形態３）
図３は、本発明の第３の実施の形態における手穴の平面図を示すものである。
【００２７】
図３において、折線１と切断部２、３、４により形成された舌上の閉塞部５の構成による手穴で、閉塞部５を左右に分割する折線１と下辺切断部３を繋いだ切断部１２を形成する。
【００２８】
以上のように、本実施例の形態においては舌状の閉塞部を２分割することにより、使用後の手穴を容易に初期状態に戻すことが可能で手穴からの塵埃等侵入による商品汚れを防止し、手穴使用痕が残らず生産直後の商品イメージを維持できる。
【００２９】
さらに、舌状の閉塞部を戻すための切断部が閉塞部内に設けられるため輸送時の移動や衝撃での手穴周辺部からの破損が防止できると共に手穴部分の美観低下が図られる。
【００３０】
（実施の形態４）
図４は、本発明の第４の実施の形態における手穴の平面図を示すものである。
【００３１】
図４において、折線１と隣接する切断部２、４を隣接部より舌状の閉塞部５の中央へ向けて円弧状に延長させた切断部１３、１４を形成する。
【００３２】
以上のように、本実施の形態において、舌状の閉塞部を形成する３辺の切断部を閉塞部中央側に円弧状に延長したことにより、幾度かに渡り手穴を連続して使用し閉塞部５の開閉を繰返した場合でも、切断部からの破損の進行が少なく、手穴強度が向上し荷扱い時の安全性や作業性が向上する。
【産業上の利用可能性】
【００３３】
以上のように、本発明にかかる手穴は、手穴を容易に初期状態に戻すことが可能であり手穴以外の閉塞部や部品挿入用折込部にも適用できる。
【図面の簡単な説明】
【００３４】
【図１】本発明の第１の実施の形態を示す手穴の平面図
【図２】本発明の第２の実施の形態を示す手穴の平面図
【図３】本発明の第３の実施の形態を示す手穴の平面図
【図４】本発明の第４の実施の形態を示す手穴の平面図
【図５】従来の手穴の平面図
【符号の説明】
【００３５】
１  折線
２、３、４  切断部
５  閉塞部
６、７  閉塞部外側へ延長した切断部
９、１０  水平方向へ延長した切断部
１２  閉塞部を２分割した切断部
１３、１４  円弧状の切断部
【図１】
2005297978.tif 000003
【図２】
2005297978.tif 000004
【図３】
2005297978.tif 000005
【図４】
2005297978.tif 000006
【図５】
2005297978.tif 000007